(57)【特許請求の範囲】
【請求項１】
階層構造で登録されたファイルの表示方法であって、
ディスプレイ画面の４つの側面に近い表示領域にその一部分が表示されるように配置され、各階層に対応した複数の回転テーブル上に、検索対象の複数のフォルダ／ファイルのアイコンまたは文字列を、階層化された内容にしたがって上位階層から順に、階層単位で表示する表示ステップと、
前記表示ステップにおいて表示された前記アイコンまたは文字列の中からユーザの選択入力を促すフォルダ選択ステップと、
前記フォルダ選択ステップにおいて選択された前記アイコンまたは文字列に関連する次の階層のフォルダ内容を、所定条件に基づいて、前記複数の表示領域のうちの当該階層に対応する表示領域に順次連動して表示させるとともに、最下位階層のフォルダ内容を、前記複数の表示領域のうちの対応する領域に表示した状態で、前記最下位階層のフォルダ内容のうちの選択されたファイルを、前記複数の表示領域とは異なる前記ディスプレイ画面の表示領域に設けられたビューワ領域に表示する連動表示ステップと、
を有することを特徴とするファイル表示方法。
【請求項２】
前記連動表示ステップにおける前記次の階層のフォルダは、前記フォルダ／ファイルの作成日または名前から昇順あるいは降順に決定され、前記ディスプレイ画面の所定表示領域に初期画面として表示されることを特徴とする請求項１に記載のファイル表示方法。
【請求項３】
メタファとなる回転テーブルが前記表示領域として設定され、前記回転テーブル上の前記フォルダ／ファイルのアイコンまたは文字列をディスプレイの所定表示領域に表示させるための回転、および当該表示フォルダの選択は、ジョグダイアルを含むポインティングデバイスの指示によって行われることを特徴とする請求項１または２に記載のファイル表示方法。
【請求項４】
階層構造で登録されたファイルの表示プログラムであって、
コンピュータに、
ディスプレイ画面の４つの側面に近い表示領域にその一部分が表示されるように配置され、各階層に対応した複数の回転テーブル上に、検索対象の複数のフォルダ／ファイルのアイコンまたは文字列を、階層化された内容にしたがって上位階層から順に、階層単位で表示する表示ステップと、
前記表示ステップにおいて表示された前記アイコンまたは文字列の中からユーザの選択入力を促すフォルダ選択ステップと、
前記フォルダ選択ステップにおいて選択された前記アイコンまたは文字列に関連する次の階層のフォルダ内容を、所定条件に基づいて、前記複数の表示領域のうちの当該階層に対応する表示領域に順次連動して表示させるとともに、最下位階層のフォルダ内容を、前記複数の表示領域のうちの対応する領域に表示した状態で、前記最下位階層のフォルダ内容のうちの選択されたファイルを、前記複数の表示領域とは異なる前記ディスプレイ画面の表示領域に設けられたビューワ領域に表示する連動表示ステップと、
を実行させるファイル表示プログラム。
【請求項５】
階層構造で登録されたファイルの表示装置であって、
ディスプレイ画面の４つの側面に近い表示領域にその一部分が表示されるように配置され、各階層に対応した複数の回転テーブル上に、検索対象の複数のフォルダ／ファイルのアイコンまたは文字列を、階層化された内容にしたがって上位階層から順に、階層単位で表示する表示手段と、
前記表示手段において表示された前記アイコンまたは文字列の中からユーザの選択入力を促すフォルダ選択手段と、
前記フォルダ選択手段において選択された前記アイコンまたは文字列に関連する次の階層のフォルダ内容を、所定条件に基づいて、前記複数の表示領域のうちの当該階層に対応する表示領域に順次連動して表示させるとともに、最下位階層のフォルダ内容を、前記複数の表示領域のうちの対応する領域に表示した状態で、前記最下位階層のフォルダ内容のうちの選択されたファイルを、前記複数の表示領域とは異なる前記ディスプレイ画面の表示領域に設けられたビューワ領域に表示する連動表示手段と、
を有することを特徴とするファイル表示装置。
【発明の詳細な説明】
【技術分野】
【０００１】
階層構造で登録されたファイルについて、ノートＰＣ（Personal Computer ）、ＰＤＡ（Personal Digital Assist ）などの小型の情報機器であっても、複数の階層フォルダの中から対象ファイルの検索を容易にする視覚的なファイル表示技術に関する。
【背景技術】
【０００２】
従来、パーソナルコンピュータでは、記憶させる各種ファイルは、ユーザが階層構造で整理して保存している。ＯＳ（オペレーティングシステム）にWindows （登録商標）などの場合、ディレクトリ（フォルダ）としてまとめ、名前をつけて管理している。フォルダの中にフォルダを作ると、階層的にファイルが管理できる。
【０００３】
例えば、Windows のエクスプローラ（登録商標）の階層構造のファイル表示では、図８のように２ペイン（２つの表示枠）で表示される。表示領域Ｉに、階層構造になるフォルダと
して、トップフォルダ、第二階層のフォルダ、第三階層のフォルダなどで示され、例えば、トップ層はカテゴリ別、第二層は年月日別、第三層はイベント別などのように各階層毎に分類された構造で表示される。また、表示領域IIには、検索対象であるファイルが、ア
イコンまたは文字列による一覧表示される。
【０００４】
以上のように階層構造のなかの一つ一つの階層を順次絞り込んで行くことで、目的ファイルの表示がなされる。
【０００５】
しかしながら、ＰＤＡ等の携帯型の情報機器のようにディスプレイ画面のサイズに制限がある場合、上記のように階層を移動してファイルを表示させる方法は、ユーザにとって手数が多く、使い勝手が悪くなるという欠点を抱える。
【発明の開示】
【発明が解決しようとする課題】
【０００６】
本発明では、上記従来の欠点を解決するため、複数の階層を回転テーブルをメタファーとして表現し、それぞれの階層の内容を同時に表示することによって、目的のファイル検索を容易にする回転テーブルによるファイル表示方法、ファイル表示プログラム、およびファイル表示装置を提供する。それにより目的のファイルを少ない手数で効率的に、かつ感性的な動きを併用することにより、ユーザが楽しんでファイルを探すことができる。
【０００７】
また、回転テーブルをフォルダ階層ではなく、ファイル検索時のキーワード選択テーブルとしても利用できる。
【課題を解決するための手段】
【０００８】
第一の発明は、階層構造で登録されたファイルの表示方法であって、ディスプレイ画面の４つの側面に近い表示領域にその一部分が表示されるように配置され、各階層に対応した複数の回転テーブル上に、検索対象の複数のフォルダ／ファイルのアイコンまたは文字列を、階層化された内容にしたがって上位階層から順に、階層単位で表示する表示ステップと、前記表示ステップにおいて表示された前記アイコンまたは文字列の中からユーザの選択入力を促すフォルダ選択ステップと、前記フォルダ選択ステップにおいて選択された前記アイコンまたは文字列に関連する次の階層のフォルダ内容を、所定条件に基づいて、前記複数の表示領域のうちの当該階層に対応する表示領域に順次連動して表示させるとともに、最下位階層のフォルダ内容を、前記複数の表示領域のうちの対応する領域に表示した状態で、前記最下位階層のフォルダ内容のうちの選択されたファイルを、前記複数の表示領域とは異なる前記ディスプレイ画面の表示領域に設けられたビューワ領域に表示する連動表示ステップと、を有することを特徴とするファイル表示方法に関する。
【０００９】
すなわち、第一の発明によれば、テーブル設定手段が、検索対象となる複数のフォルダ／ファイルのアイコンまたは文字列を階層を単位として円盤状の各回転テーブル上に配列し設定しておき、回転テーブル表示手段が、当該回転テーブルの一部分をディスプレイ画面の４つの側面の所定の表示領域に表示させ、フォルダ選択手段が、回転テーブルの一部に表示された複数のフォルダ／ファイルの中から一つの選択をユーザに促し、連動表示手段が、ユーザによるフォルダ／ファイルの選択を受けて当該選択フォルダ内容を所定条件に従って連動表示する構成とすることにより、トップフォルダから下位のフォルダまでが、階層順にディスプレイ画面の４隅に一覧表示されるため、ユーザにとっては、全階層の状態が把握でき、対象ファイルの検索が視覚的で容易となる。
【００１０】
また、本発明は、表示スペースが有効に活用でき、ＰＤＡなど小型の情報機器でディスプレイ画面が小さい場合に、とくに有力な手段となる。
【００１１】
第二の発明は、前記連動表示ステップにおける前記次の階層のフォルダは、前記フォルダ／ファイルの作成日または名前から昇順あるいは降順に決定され、前期ディスプレイ画面の所定表示領域に初期画面として表示されることを特徴とする上記第一の発明に記載のファイル表示方法に関する。
【００１２】
すなわち、第二の発明によれば、選択されたフォルダ以降の下位の階層フォルダが、自動的にフォルダ／ファイルの作成日または名前から昇順あるいは降順に決定され、初期画面として表示され、ユーザによる選択がなされていない下位の階層についての内容が表示されるため、階層構造の全体を容易に把握することができる。
【００１３】
第三の発明は、前記ビューワ領域を取り囲む領域にメタファとなる回転テーブルが前記表示領域として設定され、前記回転テーブル上の前記フォルダ／ファイルのアイコンまたは文字列をディスプレイの所定表示領域に表示させるための回転、および当該表示フォルダの選択は、ジョグダイアルを含むポインティングデバイスの指示によって行われることを特徴とする上記第一または第二の発明に記載のファイル表示方法に関する。
【００１４】
すなわち、第三の発明によれば、ユーザは、ジョグダイヤル、マウスなどに代表される画面の位置を指定するポインティングデバイスを用いて、ポインタの指示によって当該回転テーブルを回転させ、新たなフォルダ／ファイルを表示させてその中の一つを選択することとなる。本発明によって、表示から隠された部分のフォルダ／ファイルも回転テーブルの回転によって容易に検索が可能となる。
【発明の効果】
【００１５】
以上、本発明によれば、回転テーブルをメタファとしてディスプレイ画面に表示し、ジョグダイヤルを含むポインティングデバイスのユーザ操作によりテーブルを回転させたり、ハードボタンやマウスの押下により選択が決定される。複数の階層内容を同時に見ることができるので、階層移動の手間を省くことができる。また、ファイルの移動を行う時にも便利となる。
【００１６】
回転テーブルをメタファとすることにより、一階層内のファイルを表示するスペースを節約できるので、限られた画面サイズでも見やすくできる。また、各テーブルごとの色分けと動き（回転方向）によって、選択する階層の違いが分かりやすく、操作性を向上させることができる。
【００１７】
一つのテーブルの内容が数多く表示できるようにレイアウトを移動できるので、柔軟にファイルを表示することができる。また、検索時は、ジャンルテーブルから選んで検索するようになるのでテキスト入力の手間を省くことができる。さらに、検索時にテーブルが回転する動きにより、ユーザは楽しみながら探すことができる。
【発明を実施するための最良の形態】
【００１８】
以下、図面にもとづいて本発明の実施形態を説明する。
【００１９】
図１は、本発明の実施の形態になる本発明の実施の形態になる回転テーブルメタファによる階層構造ファイル表示の概念図を示す。図１に示すように、複数の円盤状の仮想の回転テーブル−１、２，３、及び４は、その一部がディスプレイ画面の４つの側面に表示されるように配置される。また、各々の回転テーブルは、該回転テーブルの中心軸の回りに回転可能（右回りまたは左回り）にその一部が表示される。各回転テーブル上には、複数のフォルダ／ファイルオブジェクトが、アイコンや文字列などとして配列、表示されている。
【００２０】
回転テーブル−１、２、３、及び４は、第一層、第二層、第三層、及び第四層のフォルダ層を表す。また、画面中央のビューワには、選択された写真ファイルや書類ファイルなどがプレビューとして表示される。プレビューには、写真のサムネイルや、テキスト情報（リンク有効）などがある。さらに、図１のように、各回転テーブルが、画面によって切り取られて一部だけ見えているレイアウトだけでなく、一部の回転テーブルが大きく見えるよう各回転テーブルの表示比率を変えるレイアウト、または、同心円状のレイアウト（図７に実施例を示す）なども可能である。
【００２１】
上記において、図１では、回転テーブルを４個としているが、階層数に限定はない。また、回転テーブル毎に色分け表示するとさらに視覚効果が強化される。
【００２２】
以下、回転テーブルをメタファとし、階層構造ファイルを表示する仕組みについて、さらに述べる。
【００２３】
回転テーブルが表示された画面において、ユーザが、例えば、ジョグダイヤル、マウスを含むポインティングデバイスを操作することによって、回転テーブルの回転（例えば、ジョグダイヤル回転、マウスオーバー等による位置指示）、および表示されたフォルダ／ファイルのオブジェクト選択（例えば、ダイヤル押下、マウスクリック等）がなされる。そして、選択されたフォルダ／ファイルの内容が、中心部のビューワ領域に表示される構成となっている。
【００２４】
回転テーブル−１においてフォルダが一つ選択されると、他の回転テーブルが関連して回転する。つぎの回転テーブル−２では、回転テーブル−１で選択されたフォルダの内容が表示される（子フォルダの表示）。また、回転テーブル−３では、回転テーブル−２の一つのフォルダの内容が表示され（孫フォルダの表示）。ここで、「一つのフォルダ」が選択されると、回転テーブル−３以降に表示されるフォルダは、自動的に選ばれること想定している（例えば、日付順、名前順に自動選定して、初期画面として表示）。さらに、回転テーブル−４では、回転テーブル−３の一つのフォルダの内容が表示される（ひ孫フォルダの表示）。こうして４つの階層の内容を同時に見ることを可能とする。
【００２５】
階層が４つ以上になった場合、回転テーブル−１に表示されているものがなくなり、２階層目のものが回転テーブル−１に表示される。以下、順次ずれて、５階層目のものがテーブル−４に表示される。
【００２６】
目的の対象ファイルを検索する段階において、まず、検索条件としてジャンル別に分けられたキーワードを指定する。キーワードは、回転テーブルから複数個、組み合わせることにより指定できる。例えば、写真を検索するとき、「時間テーブル」で「２００４年」を選択、「人物テーブル」で「お父さん」を選択、「イベントテーブル」で「旅行」を選択する。４つある回転テーブルのうち、１つの回転テーブルが選択された条件に応じて、回転して結果を表示するように、選択と連動した動きを見せる。
【００２７】
目的のファイルが見つからない場合、例えば、「人物テーブル」において「お父さん」から「お母さん」に変更、その他の回転テーブルのキーワードは変更せずに、再検索することを可能とさせる。一つの回転テーブル内で複数のキーワードを指定することもできる。例えば、人物テーブルから「お母さん」、「お姿さん」の二人を指定することが可能である。さらに、ユーザ操作では、ジョグダイヤルやマウスオーバーによりテーブルを回転させたり、ハードボタン押下やマウスクリックにより選択が決定される。
【００２８】
これによって、複数の階層内容を同時に見ることができるので、階層移動の手間を省くことができる。ファイルの移動を行う時にも便利である。回転テーブルメタファにより、一階層内のファイルを表示するスペースを節約できるので、限られた小さい画面サイズでも見やすくできる。また、各回転テーブルごとに色分けたり、回転方向にも動きをもたせることによって、複数の階層の違いを分かりやすくさせ、操作性を向上させることができる。
【００２９】
一つの回転テーブルの内容がたくさん表示できるようにレイアウトを移動できるので、柔軟にファイルを表示できる。また、検索時には、ジャンルテーブルから選んで検索するのでテキスト入力の手間を省くことができ、さらに、検索時に回転テーブルが回転する動きをとるため、ユーザは楽しみつつ検索することができる。
【００３０】
図２は、本発明の実施の形態になるファイル表示装置の一構成例を示す。図２ａ）は、ファイル表示装置の概観を示す。ここでは、ファイル表示装置の構成として、表示画面の大きさに制約のあるＰＤＡ等の携帯型の小型情報機器を想定し、ディスプレイ画面上の回転テーブルの表示位置を変化させるダイヤル、モード選択ボタン（回転テーブルの選択、およびフォルダ／ファイルの選択）、および各選択の決定ボタンを装着させた例を示している。本実施例では、ダイアルが右側面の１ケ所に配置させた場合で示したが、ディスプレイ枠の４隅に各ダイヤルを配する構成としてもよい。また、上記ボタンは、モード選択ボタンおよび決定ボタンの両機能を備えたジョグダイヤルでもよく、さらに、ディスプレイにタッチパネルが装着され、その入力としてタッチパネルペンを適用してもよい。
【００３１】
図２ｂ）は、回転テーブル上のフォルダ／ファイル位置を模式的に表したものである。例えば、回転方向が半時計回り、目標角度が５０度、現在角度が１８０度の場合、ダイヤルの回転は，現在角度（１８０度）が目標角度（５０度）になるまで、反時計回りに、角度Ｍずつ回転を続けることを示している。
【００３２】
なお、以上の実施例では、ＰＤＡ等の小型情報装置への適用を想定した例を示したが、本発明はこれに限定されることなく、マウス、ホイールボウル等のポインティングデバイスを使用するようなより大きなサイズの情報端末にも適用できることは勿論である。
【００３３】
図３は、本発明の実施の形態になるファイル表示システムの基本構成を示す。ファイル表示装置１は、ＣＰＵ（Central Processing Unit)２、メモリ３、設定テーブル５及びファイル表示プログラム１０が格納された補助記憶部４、ジョグダイヤル、マウス等のポインティングデバイスやキーボードを含む入力装置６、およびディスプレイ７から構成される。
【００３４】
また、ファイル表示プログラム１０は、検索対象となる複数のフォルダ／ファイルのアイコンまたは文字列を階層毎に円盤状の回転テーブルに配列し設定するテーブル設定手段１１、回転テーブルの一部をディスプレイ画面の各側面の表示領域に階層単位で表示する回転テーブル表示手段１２、回転テーブル表示ステップにおいて表示された前記アイコンまたは文字列の中からユーザの選択入力を促すフォルダ選択手段１３、およびフォルダ選択ステップにおいて選択された前記フォルダ内容を次の階層として表示すると同時に、以降の下位階層のフォルダ内容を所定条件の基に表示する連動表示手段１４とから構成される。
【００３５】
ここで、ファイル表示装置１は、補助記憶部４にファイル表示プログラム１０を内蔵するコンピュータである。起動時に補助記憶部４からファイル表示プログラム１０がメモリ３にロードされ、ＣＰＵ２によって、上記各手段が処理される。なお、当該プログラムは、図示していないが、フレキシブルディスク、コンパクトディスク、ＲＯＭ（Read Only Memory）等のコンピュータ読み取り可能な記録媒体に記録され、内蔵あるいは外部接続された媒体読取装置にセットし、起動時にメモリにロードすることによって実行可能な状態としてもよい。
【００３６】
図４は、本発明の実施の形態になる回転テーブルのデータ構成例を示す。本実施例では、デジタルカメラ等で撮影した写真を４階層のフォルダにわたって登録したファイルを検索するために、回転テーブルを表示し、対象ファイルを検索するケースを想定した例を示す。
【００３７】
設定テーブル５は、回転テーブル−１としてのトップフォルダ（表示領域の配置：上面）、回転テーブル−２としてのサブフォルダ−１（配置：左側面）、回転テーブル−３としてのサブフォルダ−２（配置：下面）、および回転テーブル−４としてのファイル（配置：右側面）の項目からなる複数のレコードで構成される。
【００３８】
実施例では、回転テーブル−１には、トップフォルダとして「旅行」、「サークル」などのジャンルフォルダが設定され上面の表示領域に配置、回転テーブル−２には、サブフォルダ−１として「２００５年６月」などの月日を表す時間フォルダが設定され左側面の表示領域に配置、回転テーブル−３には、サブフォルダ−２として「絶景」、「宿」、「メモ」などのイベントフォルダが設定され下面の表示領域に配置、および、回転テーブル−４には、ファイルとして「晴天．ｊｐｇ」、「アジサイ．ｊｐｇ」など、カメラで撮影したＪＰＥＧ（Joint Photographic Expert Group）画像ファイルが設定され右側面の表示領域に配置させた例を示している。
【００３９】
ファイル欄は、勿論、上記で限定されるものではなく、ＢＭＰ（BitMap）、ＧＩＦ（Grphic Interchange Format ）等の画像ファイル、またＰＤＦ（Portable Document Format）、ＴＥＸＴ等のドキュメントファイルであってもよい。
【００４０】
図５は、本発明の実施の形態になる検索装置のディスプレイにおいて回転テーブル上に配置したフォルダ／ファイルのアイコン表示例を示す。本実施例では、図４における設定テーブル５の設定データにもとづいてディスプレイ画面に表示された回転テーブルの例を示している。
【００４１】
実施例では、まず、ユーザのポインティングデバイス操作によって、トップフォルダにジャンル別フォルダから「旅行」が選択されると、サブフォルダ−１には、［旅行」フォルダの内容として、複数の「年月」フォルダが表示され、その中から降順に最新の月日「２００５年６月」が自動的に選択される。つぎのサブフォルダ−２には、「２００５年６月」のフォルダ内容として、「絶景」、「宿」、「メモ」などのイベントフォルダから、例えば、作成月日の降順に「絶景」が自動選択され、さらに、検索対象であるファイルでは、「晴天．ｊｐｇ」、「アジサイ．ｊｐｇ」などのファイルから撮影月日の降順で「晴天．ｊｐｇ」が自動選択されて、検索結果として中央のビューワに「晴天．ｊｐｇ」が連動表示された状態を示している。
【００４２】
なお、各回転テーブルに載せられたフォルダ／ファイルの総数、およびその内の何番目までが部分表示されているのかの情報をさらに追加表示などすれば、検索が一層分かりやすいものとなる。
【００４３】
図６は、本発明の実施の形態になる回転テーブルメタファによる表示処理フローを示す。実施例の処理フローは、大きく「設定テーブル判定」→「回転テーブルの回転」→「表示」の３つのステップで構成される。
【００４４】
まず、ステップＳ１１において、ジョグダイヤル、マウスなどのポインティングデバイス（または図２のモード選択ボタン）の入力操作によって、回転テーブルにフォーカスをセットする。つぎに、ステップＳ１２において、ポインティングデバイスのクリック（または図２の決定ボタンの押下）による「決定」のイベントがなされたかを判定し、「決定」イベントがあれば、ステップＳ１３において、回転テーブルの番号 (Ｎｕｍ値）を取得する。「決定」イベントがなければ、ステップＳ１１の処理に戻る。
【００４５】
ステップＳ１４において、取得した番号の回転テーブルにおいて配列する対象のフォルダまでの入力装置の移動量を検出する。そして、ステップＳ１５において、検出された移動量から、目標とする対象フォルダまでの目標角度を算出し、ステップＳ１６において、現在角度を取得する。
【００４６】
つぎに、ステップＳ１７において、目標角度に変更をかけるか否かを判定し、変更の必要がなければ、ステップＳ１８において、現在の角度が対象とするフォルダの目標角度となっているかを判定する。その結果、目標角度になっていなければ、ステップＳ１９において、当該番号テーブルを角度Ｍだけ回転させてディスプレィ画面に表示し、現在角度にＭを加算し、ステップＳ１７に戻って以降の回転処理を繰り返す。
【００４７】
ステップＳ１８の結果が、現在角度が目標角度になっていれば、ステップＳ２０において、オブジェクト「決定」イベントの判定を行う。オブジェクトが「決定」されていたら、ステップＳ２１において、選択されたオブジェクトの種別を判定する。
【００４８】
オブジェクトの「種別」が，対象のファイルであれば、ステップＳ２２において、ファイル内容をプレビュー領域に表示して本処理を終了する。また、「種別」が、フォルダである場合には、ステップＳ２３において、下位階層の一覧を、現在の回転テーブル番号「Ｎｕｍ」に１を加算した下位の回転テーブルに表示し、ステップＳ１１の処理に戻る。さらに、「種別」が、上位階層に戻るリンクがされていれば、同様にステップＳ１１に戻る。
【００４９】
なお、ステップＳ１７において、目標角度に変更のある場合には、ステップＳ１４に戻り、ポインティングデバイスなどの入力装置の操作による回転テーブルの移動量検出の処理を行って、以降の変更処理を繰り返す。
【００５０】
図７は、本発明の実施の形態になる階層構造ファイル表示の他の実施例（同心円状の回転テーブルとした例）を示す。本実施例は、階層構造ファイル表示に関する別な表示例である。回転テーブルを同心円上に配置し、中心から順に、例えば、第一階層のフォルダ、第二階層のフォルダ、および第三階層のファイルで構成され、検索された対象ファイルは、中央のビューワに表示される。
【００５１】
本実施例の場合、一つの回転テーブルに載せるフォルダ／ファイル数が少ないか、比較的画面がより大きいものが利用できたときに、一覧表示させる有力な表示方法となる。
【００５２】
以上述べてきた本発明の実施の態様は、以下の付記に示す通りである。
（付記１）  回転テーブルをメタファとする階層構造で登録されたファイルの表示方法であって、
検索対象となる複数のフォルダ／ファイルのアイコンまたは文字列を階層毎に円盤状の回転テーブルに配列し設定するテーブル設定ステップと、
前記回転テーブルの一部をディスプレイ画面の各側面の表示領域に階層単位で表示する回転テーブル表示ステップと、
前記回転テーブル表示ステップにおいて表示された前記アイコンまたは文字列の中からユーザの選択入力を促すフォルダ選択ステップと、
前記フォルダ選択ステップにおいて選択された前記フォルダ内容を次の階層として表示すると同時に、以降の下位階層のフォルダ内容の一部または全部を所定条件の基に表示する連動表示ステップと
を有することを特徴とするファイル表示方法。
（付記２）  前記連動表示ステップにおける前記下位階層のフォルダは、前記フォルダ／ファイルの作成日または名前から昇順あるいは降順に決定され、前記ディスプレイ画面の所定表示領域に初期画面として表示されることを特徴とする付記１に記載のファイル表示方法。
（付記３）  前記回転テーブル上の前記フォルダ／ファイルのアイコンまたは文字列をディスプレイの所定表示領域に表示させるための回転、および当該表示フォルダの選択は、ジョグダイアルを含むポインティングデバイスの指示によって行われることを特徴とする付記１または２に記載のファイル表示方法。
（付記４）  回転テーブルをメタファとする階層構造で登録されたファイルの表示プログラムであって、
コンピュータに、
検索対象となる複数のフォルダ／ファイルのアイコンまたは文字列を階層毎に円盤状の回転テーブルに配列し設定するテーブル設定ステップと、
前記回転テーブルの一部をディスプレイ画面の各側面の表示領域に階層単位で表示する回転テーブル表示ステップと、
前記回転テーブル表示ステップにおいて表示された前記アイコンまたは文字列の中からユーザの選択入力を促すフォルダ選択ステップと、
前記フォルダ選択ステップにおいて選択された前記フォルダ内容を次の階層として表示すると同時に、以降の下位階層のフォルダ内容の一部または全部を所定条件の基に表示する連動表示ステップと
を実行させるファイル表示プログラム。
（付記５）  回転テーブルをメタファとする階層構造で登録されたファイルの表示装置であって、
検索対象となる複数のフォルダ／ファイルのアイコンまたは文字列を階層毎に円盤状の回転テーブルに配列し設定するテーブル設定手段と、
前記回転テーブルの一部をディスプレイ画面の各側面の表示領域に階層単位で表示する回転テーブル表示手段と、
前記回転テーブル表示手段において表示された前記アイコンまたは文字列の中からユーザの選択入力を促すフォルダ選択手段と、
前記フォルダ選択手段において選択された前記フォルダ内容を次の階層として表示すると同時に、以降の下位階層のフォルダ内容の一部または全部を所定条件の基に表示する連動表示手段と
を有することを特徴とするファイル表示装置。
（付記６）  前記フォルダの階層数が、５つ以上ある場合に、トップ階層以下の回転テーブルを順に下位の階層の回転テーブルと置き換えて、前記ディスプレイ画面の表示領域に表示することを特徴とする付記１乃至３に記載のファイル表示方法。
（付記７）  回転テーブルをメタファとする階層構造で登録されたファイルの表示方法であって、
検索対象となる複数のフォルダ／ファイルのアイコンまたは文字列を階層毎に円盤状の回転テーブルに配列し設定するテーブル設定ステップと、
前記回転テーブルは、前記ディスプレイ画面の表示領域に同心円上の複数の円盤であり、階層毎に前記円盤の上に複数のフォルダ／ファイルのアイコンまたは文字列を表示する回転テーブル表示ステップと、
前記回転テーブル表示ステップにおいて表示された前記アイコンまたは文字列の中からユーザの選択入力を促すフォルダ選択ステップと、
前記フォルダ選択ステップにおいて選択された前記フォルダ内容を次の階層のフォルダとして表示すると同時に、以降の下位階層のフォルダ内容の一部または全部を所定条件の基に表示する連動表示ステップと
を有することを特徴とするファイル表示方法。
【図面の簡単な説明】
【００５３】
【図１】本発明の実施の形態になる回転テーブルメタファによる階層構造ファイル表示の概念図である。
【図２】本発明の実施の形態になるファイル表示装置の一構成例を示す図である。
【図３】本発明の実施の形態になるファイル表示システムの基本構成を示す図である。
【図４】本発明の実施の形態になる回転テーブルのデータ構成例を示す図である。
【図５】本発明の実施の形態になる検索装置のディスプレイにおいて回転テーブル上に配したフォルダ／ファイルのアイコン表示例を示す図である。
【図６】本発明の実施の形態になる回転テーブルメタファによる表示処理フローを示す図である。
【図７】本発明の実施の形態になる階層構造ファイル表示の他の実施例（同心円状の回転テーブルとした例）を示す図である。
【図８】従来の階層フォルダの表示例を示す図である。
【符号の説明】
【００５４】
１  ファイル表示装置
２  ＣＰＵ
３  メモリ
４  補助記憶部
５  設定テーブル
６  入力装置
７  ディスプレイ
１０  ファイル表示プログラム
１１  テーブル設定手段
１２  回転テーブル表示手段
１３  フォルダ選択手段
１４  連動表示手段
【図１】
0005111743.tif 000002
【図２】
0005111743.tif 000003
【図３】
0005111743.tif 000004
【図４】
0005111743.tif 000005
【図５】
0005111743.tif 000006
【図６】
0005111743.tif 000007
【図７】
0005111743.tif 000008
【図８】
0005111743.tif 000009